(57)【要約】本発明の表示装置は、表示する画像が全白画像である場合に、輝度が最も大きくなる方向をこの画面の主観察方向とすると、第１の画像が全黒画像であり、他の画像が全白画像である場合における、第１の画像の主観察方向の輝度（Ｌｄ）と、第１の画像および他の画像が全黒画像である場合における、第１の画像の主観察方向の輝度（Ｌｂ）とが、式（１）  （Ｌｄ−Ｌｂ）／（Ｌｂ）≦２．５  ・・・（１）  の関係を満たしているので、共通の表示画面を用いて複数の表示方向に対してそれぞれ異なる画像を表示する表示装置において、各表示方向に対する画像分離能を向上させた表示装置を実現することができる。【特許請求の範囲】
【請求項１】
複数の視点に対して異なる複数の画像を表示することが可能な表示装置であって、
第１の画像が全白画像である場合に、輝度が最も大きくなる方向を該第１の画像の主観察方向とすると、
上記第１の画像が全黒画像であり、他の画像が全白画像である場合における、第１の画像の主観察方向の輝度Ｌｄと、
上記第１の画像および他の画像が全黒画像である場合における、第１の画像の主観察方向の輝度Ｌｂとが、式（１）
（Ｌｄ−Ｌｂ）／Ｌｂ≦２．５  ・・・（１）
の関係を満たしていることを特徴とする表示装置。
【請求項２】
複数の視点に対して第１の画像および第２の画像を表示することが可能な表示装置であって、
上記第１の画像が全白画像である場合に、輝度が最も大きくなる方向を該第１の画像の主観察方向とすると、
上記第１の画像が全黒画像であり、第２の画像が全白画像である場合における、第１の画像の主観察方向の輝度Ｌｄと、
上記第１の画像および第２の画像が全黒画像である場合における、第１の画像の主観察方向の輝度Ｌｂとが、式（１）
（Ｌｄ−Ｌｂ）／Ｌｂ≦２．５  ・・・（１）
の関係を満たしていることを特徴とする表示装置。
【請求項３】
上記画像を生成し、該生成した画像に対応する光を出射する画像生成手段と、
上記画像生成手段から出射された光のうち、特定方向に進む光を透過する透過部、および、それ以外の方向に進む光を遮光するバリア遮光部を有する視差バリアと、を備え、
上記バリア遮光部の光の透過率をＴとすると、式（２）
ｌｏｇ（１／Ｔ）≧４  ・・・（２）
の関係を満たしていることを特徴とする請求項１に記載の表示装置。
【請求項４】
上記第１の画像および第２の画像を生成し、該生成した各画像に対応する光を出射する画像生成手段と、
上記画像生成手段から出射された第１の画像の光および第２の画像の光のうち、特定方向に進む光を透過する透過部、および、それ以外の方向に進む光を遮光するバリア遮光部を有する視差バリアと、を備え、
上記バリア遮光部の光の透過率をＴとすると、式（２）
ｌｏｇ（１／Ｔ）≧４  ・・・（２）
の関係を満たしていることを特徴とする請求項２に記載の表示装置。
【請求項５】
複数の視点に対して異なる複数の画像を表示することが可能な表示装置であって、
上記画像を生成し、該生成した画像に対応する光を出射する画像生成手段と、
上記画像生成手段から出射された光のうち、特定方向に進む光を透過する透過部、および、それ以外の方向に進む光を遮光するバリア遮光部を有する視差バリアと、を備え、
上記バリア遮光部が樹脂で形成され、
上記バリア遮光部の光の透過率をＴとすると、式（２）
ｌｏｇ（１／Ｔ）≧４  ・・・（２）
の関係を満たしていることを特徴とする表示装置。
【請求項６】
複数の視点に対して第１の画像および第２の画像を表示することが可能な表示装置であって、
上記第１の画像および第２の画像を生成し、該生成した各画像に対応する光を出射する画像生成手段と、
上記画像生成手段から出射された第１の画像の光および第２の画像の光のうち、特定方向に進む光を透過する透過部、および、それ以外の方向に進む光を遮光するバリア遮光部を有する視差バリアと、を備え、
上記バリア遮光部が樹脂で形成され、
上記バリア遮光部の光の透過率をＴとすると、式（２）
ｌｏｇ（１／Ｔ）≧４  ・・・（２）
の関係を満たしていることを特徴とする表示装置。
【請求項７】
上記バリア遮光部に照射された光の強度をＳとし、該バリア遮光部にて反射された光の強度をＳ’とすると、式（３）
Ｓ’／Ｓ≦０．２  ・・・（３）
の関係を満たしていることを特徴とする請求項３ないし６のいずれか１項に記載の表示装置。
【請求項８】
複数の視点に対して異なる複数の画像を表示することが可能な表示装置であって、
上記画像を生成し、該生成した画像に対応する光を照射する画像生成手段と、
上記画像生成手段から出射された光のうち、特定方向に進む光を透過する透過部、および、それ以外の方向に進む光を遮光するバリア遮光部を有する視差バリアと、を備え、
上記バリア遮光部は、光を遮光する遮光部と、該遮光部の上記画像生成手段に対向する面および該対向面とは反対側の面に設けられた光の反射を防止する反射防止部と、を有しており、
上記バリア遮光部の光の透過率をＴとすると、式（２）
ｌｏｇ（１／Ｔ）≧４  ・・・（２）
の関係を満たしていることを特徴とする表示装置。
【請求項９】
複数の視点に対して第１の画像および第２の画像を表示することが可能な表示装置であって、
上記第１の画像および第２の画像を生成し、該生成した各画像に対応する光を出射する画像生成手段と、
上記画像生成手段から出射された第１の画像の光および第２の画像の光のうち、特定方向に進む光を透過する透過部、および、それ以外の方向に進む光を遮光するバリア遮光部を有する視差バリアと、を備え、
上記バリア遮光部は、光を遮光する遮光部と、該遮光部の上記画像生成手段に対向する面および該対向面とは反対側の面に設けられた光の反射を防止する反射防止部と、を有しており、
上記バリア遮光部の光の透過率をＴとすると、式（２）
ｌｏｇ（１／Ｔ）≧４  ・・・（２）
の関係を満たしていることを特徴とする表示装置。
【請求項１０】
上記反射防止部に照射された光の強度をＳとし、該反射防止部にて反射された光の強度をＳ’とすると、式（３）
Ｓ’／Ｓ≦０．２  ・・・（３）
の関係を満たしていることを特徴とする請求項８または９に記載の表示装置。
【請求項１１】
上記遮光部が金属からなることを特徴とする請求項８ないし１０のいずれか１項に記載の表示装置。
【請求項１２】
上記反射防止部が樹脂からなることを特徴とする請求項８ないし１１のいずれか１項に記載の表示装置。
【発明の詳細な説明】
【技術分野】
【０００１】  本発明は、共通の表示画面を用いて複数の方向に対してそれぞれ異なる画像を表示する表示装置に関するものである。
【背景技術】
【０００２】  従来より、共通の表示画面を用いて、複数の方向に対してそれぞれ異なる画像を表示（ＤＶ（デュアルビュー）表示）することが可能な表示装置が提案されている。図１１は、このような表示装置の一例を示す概略断面図である。図１１に示す表示装置は、表示パネル１１０，バリア部１２０，バックライト１３０，偏光板１４１，１４２を備えている。【０００３】  バックライト１３０は、光源１３１と反射部１３２とを備えており、光源１３１から照射された光を反射部１３２によって反射することで、表示パネル１１０に対して光を照射するようになっている。表示パネル１１０は、対向して配置されたＴＦＴ基板１１１とＣＦ基板１１２との間に液晶層１１３が挟持されてなるアクティブマトリクス型の液晶表示パネルである。【０００４】  ＴＦＴ基板１１１上には、複数のデータ信号線と、各データ信号線にそれぞれ交差する複数の走査信号線とが設けられ、これらデータ信号線および走査信号線の組み合わせ毎に、画素が設けられている（いずれも図示せず）。また、各データ信号線および各走査信号線は、それぞれソースドライバおよびゲートドライバ（いずれも図示せず）に接続されている。これにより、各画素にそれぞれ独立して駆動電圧を印加し、液晶層１１３における各画素領域の液晶分子の配向状態を変化させて表示を行うようになっている。【０００５】  なお、上記各画素は、データ信号線の延在方向に沿って、左側への画像表示（表示装置の左側に対する画像表示）用の画素列Ｌと、右側への画像表示（表示装置の右側に対する画像表示）用の画素列Ｒとが交互に配置されている。【０００６】  また、ＣＦ（カラーフィルタ）基板１１２には、カラーフィルタ層（図示せず）が設けられている。【０００７】  上記ＴＦＴ基板１１１およびＣＦ基板１１２の対向面には、互いに直交する方向に配向処理が施された配向膜（図示せず）がそれぞれ備えられている。なお、各配向膜には、基板面に平行な一方向のラビング処理がそれぞれ施されている。【０００８】  偏光板１４１は、ＴＦＴ基板１１１のバックライト１３０側に、吸収軸方向がＴＦＴ基板１１１に設けられた配向膜の配向処理方向と平行となるように備えられている。また、偏光板１４２は、バリア部１２０の表示面側（バックライト１３０）とは反対側に、吸収軸方向が偏光板１４１の吸収軸方向と直交するように備えられている。これにより、上記各画素に印加する駆動電圧を変化させ、各画素列においてそれぞれの表示方向に対する表示を行えるようになっている。【０００９】  バリア部１２０は、バリアガラス１２１と、バリア遮光層１２２と、接着層１２３とからなる。バリア遮光層１２２は、バックライト１３０から照射され、表示パネル１１０を透過した光を遮光するものである。接着層１２３は、バリアガラス１２１上にバリア遮光層１２２を覆うように形成されており、バリア部１２０と表示パネル１１０とを接着している。【００１０】  また、バリア遮光層１２２は、上記各画素列に対応するようにストライプ状の列をなすように設けられている。つまり、バリア遮光層１２２の各列は、左側用の画素列Ｌについて表示装置の左側からは観察できるものの右側からは観察できず、かつ、右側用の画素列Ｒについて表示装置の右側からは観察できるものの左側からは観察されないように、バックライト１３０から照射されて各画素列を透過した光を遮光するように設けられている。これにより、上記表示装置では、表示装置の左側と右側とにそれぞれ異なる画像を表示（ＤＶ表示）することが可能になっている。【００１１】  例えば、特許文献１には、単一の表示画面を用いて、運転者と助手席同乗者とに異なる情報を同時に提供する車両用表示装置が開示されている。
【特許文献１】特開２０００−１３７４４３号公報（２０００年５月１６日公開）
【発明の開示】
【発明が解決しようとする課題】
【００１２】  しかしながら、上記表示装置では、例えば、助手席側に表示している画像が運転席側に表示する画像に重畳され、二重像となって視認されるといった、いわゆるクロストークが生じてしまうという問題を有していることが判明した。【００１３】  つまり、カラーフィルタ用樹脂遮光膜と同じ様に形成されたバリア遮光層では、助手席側に表示すべき画像光が遮光層にて十分に遮光されず、運転席側に漏れてしまう。また、金属遮光膜で形成されたバリア遮光層では、不要な反射がおこり、助手席側に表示すべき画像光が、運転席側に出射されてしまう。よって、その結果、二重像となって視認されるのである。
【課題を解決するための手段】
【００１４】  上記の課題から、複数の視点に対して異なる複数の画像を表示することが可能な表示装置においては、ある表示方向への照射光が他の表示方向に漏れないような画像分離能が必要となる。【００１５】  そこで本発明は、上記の問題点に鑑みてなされたものであり、その目的は、共通の表示画面を用いて複数の表示方向に対してそれぞれ異なる画像を表示する表示装置において、各表示方向に対する画像分離能を向上させることにある。【００１６】  本発明に係る表示装置は、上記課題を解決するために、複数の視点に対して異なる複数の画像を表示することが可能な表示装置であって、第１の画像が全白画像である場合に、輝度が最も大きくなる方向を該第１の画像の主観察方向とすると、上記第１の画像が全黒画像であり、他の画像が全白画像である場合における、第１の画像の主観察方向の輝度Ｌｄと、上記第１の画像および他の画像が全黒画像である場合における、第１の画像の主観察方向の輝度Ｌｂとが、式（１）
（Ｌｄ−Ｌｂ）／Ｌｂ≦２．５  ・・・（１）
の関係を満たしていることを特徴としている。【００１７】  上記の構成によれば、本発明の表示装置は、複数の視点に対して異なる複数の画像を表示するものである。すなわち、観察する角度によって異なる複数の画像を表示することが可能な表示装置である。また、本発明では、第１の画像が全白画像である場合に、輝度が最も大きくなる方向を、この第１の画像の主観察方向とする。【００１８】  ここで、「全白画像」とは単一の白色画像を意味しており、表示される「画像が全白画像である」とは画面の全面において単一の白色画像が表示されることを意味している。同様に「全黒画像」とは単一の黒色画像を意味しており、表示される「画像が全黒画像である」とは画面の全面において単一の黒色画像が表示されることを意味している。また、「輝度が最も大きくなる方向」とは、全白画像を行った場合に、画面の中で輝度が最も大きい方向（最も明るい方向）であり、画面を観察する全角度の中で、輝度の最も大きい（最も明るい）画像を観察することができる方向である。また、「第１の画像」とは、この画像を視認可能な視点から観察される画像群を指す。このような画像群は、例えば、全白画像、前黒画像、動画、静止画等であり、特に限定されるものではない。また、「他の画像」とは、上記第１の画像を視認可能な視点からは、通常観察できない画像群を指す。【００１９】  また、Ｌｄは、第１の画像が全黒画像であり、他の画像が全白画像である場合における、第１の画像の主観察方向の輝度を示す。さらに、Ｌｂは、第１の画像および他の画像が全黒画像である場合における、第１の画像の主観察方向の輝度を示す。そして、本発明の表示装置は、これらＬｄおよびＬｂが上記式（１）に示す関係を満たしている。【００２０】  上記（Ｌｄ−Ｌｂ）は第１の画像の主観察方向から画像を観察した場合に観察可能な他の画像の光の輝度を示している。すなわち、第１の画像の主観察方向に漏れてきた他の画像の光の輝度を示している。第１の画像が全黒画像であって、他の画像が全白画像である場合には、他の画像の光が第１の画像に最も漏れて来やすい（クロストークが発生しやすい）状況である。しかしながら、本発明の表示装置では、式（１）に示すように、最もクロストークが発生しやすい状況においても、第１の画像の輝度と漏れてきた他の画像の輝度との比が２．５以下となっている。従って、クロストークの発生を十分に抑制することができる。それゆえ、各表示方向に対する画像分離能を向上させた表示装置とすることができる。【００２１】  本発明に係る表示装置は、上記課題を解決するために、複数の視点に対して第１の画像および第２の画像を表示することが可能な表示装置であって、上記第１の画像が全白画像である場合に、輝度が最も大きくなる方向を該第１の画像の主観察方向とすると、上記第１の画像が全黒画像であり、第２の画像が全白画像である場合における、第１の画像の主観察方向の輝度Ｌｄと、上記第１の画像および第２の画像が全黒画像である場合における、第１の画像の主観察方向の輝度Ｌｂとが、式（１）
（Ｌｄ−Ｌｂ）／Ｌｂ≦２．５  ・・・（１）
の関係を満たしていることを特徴としている。【００２２】  上記の構成によれば、本発明の表示装置は、複数の視点に対して第１の画像および第２の画像を表示するものである。すなわち、観察する角度によって異なる２つの画像を表示することが可能な表示装置である。また、「主観察方向」「全白画像」「画像が全白画像である」「全黒画像」「画像が全黒画像である」「輝度が最も大きくなる方向」「第１の画像」については上記と同様である。また、「第２の画像」ついても上記「他の画像」と同様である。【００２３】  上記Ｌｄは、第１の画像が全黒画像であり、第２の画像が全白画像である場合における、第１の画像の主観察方向の輝度を示す。さらに、Ｌｂは、第１の画像および第２の画像が全黒画像である場合における、第１の画像の主観察方向の輝度を示す。そして、本発明の表示装置は、これらＬｄおよびＬｂが上記式（１）に示す関係を満たしている。【００２４】  すなわち、本発明の表示装置では、式（１）に示すように、最もクロストークが発生しやすい状況においても、第１の画像の輝度と漏れてきた第２の画像の輝度との比が２．５以下となっている。従って、クロストークの発生を十分に抑制することができる。それゆえ、各表示方向に対する画像分離能を向上させた表示装置とすることができる。【００２５】  本発明に係る表示装置では、上記画像を生成し、該生成した画像に対応する光を出射する画像生成手段と、上記画像生成手段から出射された光のうち、特定方向に進む光を透過する透過部、および、それ以外の方向に進む光を遮光するバリア遮光部を有する視差バリアと、を備え、上記バリア遮光部の光の透過率をＴとすると、式（２）
ｌｏｇ（１／Ｔ）≧４  ・・・（２）
の関係を満たしていることが好ましい。【００２６】  上記の構成によれば、画像生成手段は、表示する画像を生成し、この生成した画像に対応する光を視差バリアに出射する。この視差バリアは、透過部およびバリア遮光部を有している。透過部は、上記画像生成手段から出射された光（画像に対応する光）のうち、特定方向に進む光を透過する。一方、バリア遮光部は、上記光のうち、それ以外の方向に進む光を遮光する。これにより、複数の画像を各々の表示方向に分離することができ、複数の視点に対して異なる複数の画像を表示することが可能になる。【００２７】  なお、画像に対応する光とは、画像を表示する（表現する）ための光であり、生成された画像に応じた輝度の光である。また、特定方向とは、画像生成手段にて生成された画像を表示する方向であり、この画像を観察することができる方向である。【００２８】  また、バリア遮光部の光の透過率Ｔが上記式（２）の関係を満たしている。このため、バリア遮光部は、画像の光を十分に遮光することができ、特定方向以外の方向に進む光が特定方向に漏れてしまうことを回避できる。すなわち、クロストークの発生を十分に抑制することができるため、各表示方向に対する画像分離能を向上させた表示装置とすることができる。【００２９】  本発明に係る表示装置では、上記第１の画像および第２の画像を生成し、該生成した各画像に対応する光を出射する画像生成手段と、上記画像生成手段から出射された第１の画像の光および第２の画像の光のうち、特定方向に進む光を透過する透過部、および、それ以外の方向に進む光を遮光するバリア遮光部を有する視差バリアと、を備え、上記バリア遮光部の光の透過率をＴとすると、式（２）
ｌｏｇ（１／Ｔ）≧４  ・・・（２）
の関係を満たしていることが好ましい。【００３０】  上記の構成によれば、画像生成手段は、表示する第１の画像および第２の画像を生成し、この生成した各画像に対応する光を視差バリアに出射する。この視差バリアは、透過部およびバリア遮光部を有している。透過部は、上記画像生成手段から出射された光（第１の画像および第２の画像に対応する各光）のうち、特定方向に進む光を透過する。一方、バリア遮光部は、上記光のうち、それ以外の方向に進む光を遮光する。これにより、第１の画像および第２の画像を各々の表示方向に分離することができ、複数の視点に対して第１の画像および第２の画像を表示することが可能になる。【００３１】  また、バリア遮光部の光の透過率Ｔが上記式（２）の関係を満たしている。このため、バリア遮光部は、画像の光を十分に遮光することができ、特定方向以外の方向に進む光が特定方向に漏れてしまうことを回避できる。すなわち、クロストークの発生を十分に抑制することができるため、各表示方向に対する画像分離能を向上させた表示装置とすることができる。【００３２】  本発明に係る表示装置は、上記課題を解決するために、複数の視点に対して異なる複数の画像を表示することが可能な表示装置であって、上記画像を生成し、該生成した画像に対応する光を出射する画像生成手段と、上記画像生成手段から出射された光のうち、特定方向に進む光を透過する透過部、および、それ以外の方向に進む光を遮光するバリア遮光部を有する視差バリアと、を備え、上記バリア遮光部が樹脂で形成され、上記バリア遮光部の光の透過率をＴとすると、式（２）
ｌｏｇ（１／Ｔ）≧４  ・・・（２）
の関係を満たしていることを特徴としている。【００３３】  上記の構成によれば、本発明の表示装置は、複数の視点に対して異なる複数の画像を表示するものである。すなわち、観察する角度によって異なる複数の画像を表示することが可能な表示装置である。【００３４】  また、バリア遮光部が樹脂で形成されており、かつ、バリア遮光部の光の透過率Ｔが上記式（２）の関係を満たしている。このため、バリア遮光部は、樹脂で形成されている場合であっても、画像の光を十分に遮光することができる。このため、特定方向以外の方向に進む光が特定方向に漏れてしまうことを回避できる。すなわち、クロストークの発生を十分に抑制することができるため、各表示方向に対する画像分離能を向上させた表示装置とすることができる。【００３５】  本発明に係る表示装置は、上記課題を解決するために、複数の視点に対して第１の画像および第２の画像を表示することが可能な表示装置であって、上記第１の画像および第２の画像を生成し、該生成した各画像に対応する光を出射する画像生成手段と、上記画像生成手段から出射された第１の画像の光および第２の画像の光のうち、特定方向に進む光を透過する透過部、および、それ以外の方向に進む光を遮光するバリア遮光部を有する視差バリアと、を備え、上記バリア遮光部が樹脂で形成され、上記バリア遮光部の光の透過率をＴとすると、式（２）
ｌｏｇ（１／Ｔ）≧４  ・・・（２）
の関係を満たしていることを特徴としている。【００３６】  上記の構成によれば、本発明の表示装置は、複数の視点に対して第１の画像および第２の画像を表示するものである。すなわち、観察する角度によって異なる２つの画像を表示することが可能な表示装置である。【００３７】  また、バリア遮光部が樹脂で形成されており、かつ、バリア遮光部の光の透過率Ｔが上記式（２）の関係を満たしている。このため、バリア遮光部は、樹脂で形成されている場合であっても、画像の光を十分に遮光することができる。このため、特定方向以外の方向に進む光が特定方向に漏れてしまうことを回避できる。すなわち、クロストークが発生することを抑制できるため、第１の画像および第２の画像に対する画像分離能を向上させた表示装置とすることができる。【００３８】  本発明に係る表示装置では、上記バリア遮光部に照射された光の強度をＳとし、該バリア遮光部にて反射された光の強度をＳ’とすると、式（３）
Ｓ’／Ｓ≦０．２  ・・・（３）
の関係を満たしていることが好ましい。【００３９】  上記の構成によれば、バリア遮光部における光の反射率が０．２以下となっている。このため、バリア遮光部に照射された光が、バリア遮光部にて反射され外部に出射してしまうことを防止できる。その結果、クロストークの発生を抑制できると共に、さらに、表示装置の画面に「てかり」が生じることを防止できる。【００４０】  本発明に係る表示装置は、上記課題を解決するために、複数の視点に対して異なる複数の画像を表示することが可能な表示装置であって、上記画像を生成し、該生成した画像に対応する光を照射する画像生成手段と、上記画像生成手段から出射された光のうち、特定方向に進む光を透過する透過部、および、それ以外の方向に進む光を遮光するバリア遮光部を有する視差バリアと、を備え、上記バリア遮光部は、光を遮光する遮光部と、該遮光部の上記画像生成手段に対向する面および該対向面とは反対側の面に設けられた光の反射を防止する反射防止部と、を有しており、上記バリア遮光部の光の透過率をＴとすると、式（２）
ｌｏｇ（１／Ｔ）≧４  ・・・（２）
の関係を満たしていることを特徴としている。【００４１】  上記の構成によれば、本発明の表示装置は、複数の視点に対して異なる複数の画像を表示するものである。すなわち、観察する角度によって異なる複数の画像を表示することが可能な表示装置である。また、画像生成手段は、表示する画像を生成し、この生成した画像に対応する光を視差バリアに出射する。視差バリアは、特定方向に進む光を透過する透過部と、それ以外の方向に進む光を遮光するバリア遮光部とを有している。【００４２】  さらに、バリア遮光部は、光を遮光する遮光部と、光の反射を防止する反射防止部とを有している。この反射防止部は、遮光部の画像生成手段に対向する面に設けられている。また、反射防止部は、遮光部の画像生成手段との対向面とは反対側の面にも設けられている。すなわち、バリア遮光部は、遮光部が２つの反射防止部にて挟持された構成を有している。このため、バリア遮光部は、画像生成手段側から照射された光と、外部から照射された光との双方共に反射してしまうことを回避できる。【００４３】  また、バリア遮光部の光の透過率Ｔが上記式（２）の関係を満たしている。このため、バリア遮光部は、画像の光を十分に遮光することができる。このため、特定方向以外の方向に進む光が特定方向に漏れてしまうことを回避できる。すなわち、クロストークの発生を十分に抑制することができるため、各表示方向に対する画像分離能を向上させた表示装置とすることができる。【００４４】  本発明に係る表示装置は、上記課題を解決するために、複数の視点に対して第１の画像および第２の画像を表示することが可能な表示装置であって、上記第１の画像および第２の画像を生成し、該生成した各画像に対応する光を出射する画像生成手段と、上記画像生成手段から出射された第１の画像の光および第２の画像の光のうち、特定方向に進む光を透過する透過部、および、それ以外の方向に進む光を遮光するバリア遮光部を有する視差バリアと、を備え、上記バリア遮光部は、光を遮光する遮光部と、該遮光部の上記画像生成手段に対向する面および該対向面とは反対側の面に設けられた光の反射を防止する反射防止部と、を有しており、上記バリア遮光部の光の透過率をＴとすると、式（２）
ｌｏｇ（１／Ｔ）≧４  ・・・（２）
の関係を満たしていることを特徴としている。【００４５】  上記の構成によれば、本発明の表示装置は、複数の視点に対して第１の画像および第２の画像を表示するものである。すなわち、観察する角度によって異なる画像を表示することが可能な表示装置である。また、画像生成手段は、第１の画像および第２の画像を生成し、この生成した各画像に対応する光を視差バリアに出射する。視差バリアは、特定方向に進む光を透過する透過部と、それ以外の方向に進む光を遮光するバリア遮光部とを有している。【００４６】  さらに、バリア遮光部は、光を遮光する遮光部と、光の反射を防止する反射防止部とを有している。この反射防止部は、遮光部の画像生成手段に対向する面に設けられている。また、反射防止部は、遮光部の画像生成手段との対向面とは反対側の面にも設けられている。すなわち、バリア遮光部は、遮光部が２つの反射防止部にて挟持された構成を有している。このため、バリア遮光部は、画像生成手段側から照射された光と、外部から照射された光との双方共に反射してしまうことを回避できる。【００４７】  また、バリア遮光部の光の透過率Ｔが上記式（２）の関係を満たしている。このため、バリア遮光部は、画像の光を十分に遮光することができる。このため、特定方向以外の方向に進む光が特定方向に漏れてしまうことを回避できる。すなわち、クロストークの発生を十分に抑制することができるため、各表示方向に対する画像分離能を向上させた表示装置とすることができる。【００４８】  本発明に係る表示装置では、上記反射防止部に照射された光の強度をＳとし、該反射防止部にて反射された光の強度をＳ’とすると、式（３）
Ｓ’／Ｓ≦０．２  ・・・（３）
の関係を満たしていることが好ましい。【００４９】  上記の構成によれば、反射防止部における光の反射率が０．２以下となっている。このため、反射防止部に照射された光が、反射防止部にて反射され外部に出射してしまうことを防止できる。その結果、クロストークの発生を抑制できると共に、表示装置の画面に「てかり」が生じることを防止できる。【００５０】  本発明に係る表示装置では、上記遮光部が金属からなることが好ましい。上記の構成によれば、光を容易に遮光することができる。また、本発明に係る表示装置では、上記反射防止部が樹脂からなることが好ましい。上記の構成によれば、光の反射を容易に防止することができる。
【発明の効果】
【００５１】  本発明に係る表示装置によれば、クロストークが発生することを抑制でき、各表示方向に対する画像分離能を向上させた表示装置とすることができるという効果を奏する。【００５２】  本発明のさらに他の目的、特徴、および優れた点は、以下に示す記載によって十分わかるであろう。また、本発明の利益は、添付図面を参照した次の説明で明白になるであろう。
【図面の簡単な説明】
【００５３】
【図１】図１は、本発明の実施の一形態を示すものであり、表示装置の概略構成を示す断面図である。
【図２】図２は、本発明の実施の一形態を示すものであり、表示装置による表示状態を模式的に示した模式図である。
【図３】図３は、本発明の実施の一形態を示すものであり、表示パネルの概略構成を示すブロック図である。
【図４】図４は、本発明の実施の一形態を示すものであり、各画素の概略構成を示す説明図である。
【図５】図５は、本発明の実施の一形態を示すものであり、各角度から画像を観察した場合における輝度を示すグラフである。
【図６】図６は、本発明の実施の一形態を示すものであり、輝度を測定する方法の概略構成を示す断面図である。
【図７】図７は、本発明の実施の一形態を示すものであり、ＯＤ値とクロストーク成分比との関係を示すグラフである。
【図８】図８は、本発明の実施の一形態を示すものであり、表示装置の概略構成を示す断面図である。
【図９】図９は、本発明の実施の一形態を示すものであり、ＣＦ基板およびバリアガラスを貼り合わせる方法を示す断面図である。
【図１０】図１０は、本発明の他の実施の形態を示すものであり、表示装置の概略構成を示す断面図である。
【図１１】図１１は、従来の表示装置の概略構成を示す断面図である。
【符号の説明】
【００５４】  １・２  表示装置
１０  表示パネル（画像生成手段）
２０・２５  バリア部
１１  ＴＦＴ基板
１２  ＣＦ基板
２１  バリアガラス
２２・２６  バリア遮光部
２３  接着層
２４  透過部
２７  遮光部
２８  第１光吸収部（反射防止部）
２９  第２光吸収部（反射防止部）
【発明を実施するための最良の形態】
【００５５】  〔実施の形態１〕
本発明の第１の実施の形態について図１ないし図９に基づいて説明すると以下の通りである。本実施の形態では、表示装置として、自動車（車両）に備えられ、運転席側および助手席側に対してそれぞれ異なる画像を表示（ＤＶ表示）できる表示装置を例に挙げて説明する。図２は、本発明の表示装置による表示状態を模式的に示した模式図である。図２に示すように、運転席側および助手席側に対してＤＶ表示をするようになっている。【００５６】  図１は、本実施の形態に係る表示装置１の概略構成を示す断面図である。図１に示すように、表示装置１は、表示パネル（画像生成手段）１０、バリア部２０、偏光板３１・３２を備えている。また、表示装置１は、バックライト（図示せず）を備えており、バックライトから出射された光を表示パネル１０に対して照射するようになっている。【００５７】  表示パネル１０は、対向して配置されたＴＦＴ（Ｔｈｉｎ  Ｆｉｌｍ  Ｔｒａｎｓｉｓｔｏｒ）基板１１とＣＦ（Ｃｏｌｏｒ  Ｆｉｌｔｅｒ）基板１２との間に、ネマティック液晶からなる液晶層（図示せず）が挟持されてなるアクティブマトリクス型の液晶表示パネルである。【００５８】  ここで、図３および図４を用いて表示パネル１０について説明する。図３は、表示パネル１０の概略構成を示すブロック図である。図３に示すように、表示パネル１０は、画素Ｐ・・・がマトリクス状に配置されたＴＦＴ基板１１と、駆動回路としてのソースドライバ９４およびゲートドライバ９５と、電源回路９６と、制御部９１とを備えている。【００５９】  ＴＦＴ基板１１には、複数のデータ信号線ＳＬ１〜ＳＬｎ（ｎは２以上の任意の整数）と、各データ信号線ＳＬ１〜ＳＬｎにそれぞれ交差する複数の走査信号線ＧＬ１〜ＧＬｍ（ｍは２以上の任意の整数）とが設けられ、これらのデータ信号線ＳＬ１〜ＳＬｎおよび走査信号線ＧＬ１〜ＧＬｍの組み合わせ毎に、上記画素Ｐが設けられている。【００６０】  また、各画素Ｐ・・・は、同じ表示方向に画像を表示する画素がデータ信号線ＳＬ１〜ＳＬｎの延在方向に沿って配置されて画素列を形成している。より詳細には、運転席側用（運転席側に対する表示用）の画素列Ｌと、助手席側用（助手席側に対する表示用）の画素列Ｒとが、データ信号線ＳＬ１〜ＳＬｎの延在方向に略直交する方向に交互に配されてなる。なお、各画素には、それぞれの表示方向に応じた画像を表示するように、ソースドライバおよびゲートドライバから駆動電圧が印加される（データ（信号）が入力される）。【００６１】  制御部９１は、ソースドライバ９４およびゲートドライバ９５の動作を制御するものである。また、電源回路９６は、ソースドライバ９４およびゲートドライバ９５に、表示装置１にて表示を行うための電圧を供給するものである。ソースドライバ９４およびゲートドライバ９５は、各画素Ｐ・・・に、それぞれの画素の表示方向に応じた画像を表示させるための駆動電圧（信号、データ）を生成し、データ信号線ＳＬ１〜ＳＬｎおよび走査信号線ＧＬ１〜ＧＬｍをそれぞれ駆動する。さらに、ＴＦＴ基板１１上には、各画素Ｐ・・・に電界を印加するための電極１０１が画素Ｐごとに設けられており、ＣＦ基板１２上には電極１０２が設けられている（図４参照；図１では図示せず）。【００６２】  また、図４に示すように、各画素Ｐ・・・には、スイッチング素子９７が設けられている。スイッチング素子９７としては、例えばＦＥＴ（電界効果型トランジスタ）あるいはＴＦＴ（薄膜トランジスタ）等が用いられ、上記スイッチング素子９７のゲート電極９８が走査信号線ＧＬｉ（ｉは１以上の任意の整数を示す）に、ソース電極９９がデータ信号線ＳＬｉに、さらに、ドレイン電極１００が電極１０１に接続されている。また、電極１０２は、全画素Ｐ・・・に共通の図示しない共通電極線に接続されている。【００６３】  これにより、各画素Ｐ・・・において、走査信号線ＧＬｉが選択されると、スイッチング素子９７が導通し、図示しないコントローラから入力される表示データ信号に基づいて決定される信号電圧が、ソースドライバ１０３によりデータ信号線ＳＬｉ（ｉは１以上の任意の整数を示す）を介して電極１０１−１０２間に印加される。電極１０１−１０２間では、走査信号線ＧＬｉの選択期間が終了してスイッチング素子９７が遮断されている間、理想的には、遮断時の電圧を保持し続ける。これにより、各画素Ｐ・・・に対応する電極１０１−１０２間にそれぞれ独立して駆動電圧を印加することで、液晶層における各画素領域に各画素に表示する画像に応じた電界を印加し、各画素領域の液晶分子の配向状態を変化させて表示を行えるようになっている。【００６４】  なお、各画素Ｐ・・・の構造は、特に限定されるものではないが、左右対称構造であることが好ましい。バックライトから出射され、表示パネル１０に入射した光は、画素Ｐのスイッチング素子９７や電極１０１等が設けられている部分では遮光され、画素Ｐのスイッチング素子９７等が設けられていない部分を透過する。すなわち、左右対称構造とは、画素Ｐを、画素列Ｌ（または画素列Ｒ）の延在方向に２等分した際の左半分の光透過領域と右半分の光透過領域とが略同じ面積になる構造を指す。このような構造とすることにより、各観察者に対して同等の輝度（表示品位）の画像を表示することが可能になる。【００６５】  また、ＴＦＴ基板１１におけるバックライト側の面には、偏光板３１が備えられている。また、ＴＦＴ基板１１およびＣＦ基板１２における対向面には、互いに略直交する方向の配向処理が施された配向膜（図示せず）がそれぞれ設けられている。【００６６】  ＣＦ基板１２上には、カラーフィルタ層１３が設けられている。カラーフィルタ層１３にはＲ，Ｇ，Ｂの各絵素が各画素について設けられている。本実施の形態では、これらＲ，Ｇ，Ｂの各絵素の幅（図１に示す距離ｄ）を６５μｍとしている。また、ＣＦ基板１２は、ケミカルエッチング処理あるいは研磨などのメカニカル処理によって薄型化されている。特に、本発明はＤＶ表示用の表示装置１であるため、ＣＦ基板１２はバリアガラス２１よりも薄くなっている。【００６７】  なお、液晶層には、ＴＦＴ基板１１とＣＦ基板１２とを保持し、液晶層の層厚（ギャップ）を均一に保つためのフォトスペーサー（図示せず）が配置されている。フォトスペーサーとしては、柱状のものを用いることが好ましい。柱状のフォトスペーサーを用いた場合には、面で保持することができるため、より安定���た層厚保持が可能になる。【００６８】  バリア部２０は、バリアガラス２１とバリア遮光部２２とを有しており、バリア遮光部２２がバリアガラス２１上に形成されている。また、バリアガラス２１の表示面側（バックライトとは反対側）には偏光板３２が設けられている。上記バリアガラス２１は、バリア遮光部２２が形成された面をＣＦ基板１２側に対向させた状態で、接着層２３を介してＣＦ基板１２と接着されている。【００６９】  すなわち、接着層２３は、バリア部２０と表示パネル１０とを接着するものであり、バリア部２０と表示パネル１０との対向面の全面に形成されている。つまり、バリア部２０（バリアガラス２１のバリア遮光部２２が形成されている面）と表示パネル１０（ＣＦ基板１２）とは全面接着されている。接着層２３としては、例えば紫外線硬化型の接着剤（接着樹脂）が用いられる。なお、本実施の形態では、ＣＦ基板１２のカラーフィルタ層１３側の面から、バリアガラス２１のバリア遮光部２２が形成されている面までの間隔（図１に示す距離ａ）を８５μｍとしている。【００７０】  バリア遮光部２２は、上述のように、バリアガラス２１上に形成されており、画素列Ｒ，Ｌの延在方向に対して平行な方向にストライプ状の列をなすように配置されている。また、バリア遮光部２２の各列は、表示パネル１０の各画素列に対応するように設けられている。つまり、バリア遮光部２２の各列は、表示パネル１０の各画素列から出射される光の一部を遮光し、各画素列の表示方向以外の方向からは観察されないような位置に設けられている。【００７１】  なお、バリア遮光部２２の各列に挟まれた部分には、接着層２３が設けられており、表示パネル１０の各画素列から出射された光を遮光するものがない。従って、バリア遮光部２２の各列に挟まれた部分は光を透過する領域（透過部２４）として作用し、表示パネル１０の各画素列から出射された光は透過部２４を透過して外部に照射されるようになっている。すなわち、上記バリア遮光部２２および透過部２４が視差バリアとなる。【００７２】  したがって、運転席側用の画素列Ｒについて運転席側からは観察できるものの助手席側からは観察できず、かつ、助手席側用の画素列Ｌについて助手席側からは観察できるものの運転席側からは観察されないようになっている。これにより、表示装置１では、運転席側と助手席側とに異なる画像を表示することが可能になっている。【００７３】  なお、本実施の形態では、上記バリア遮光部２２の各画素列の幅（図１に示す距離ｂ）を９４μｍとしている。また、本実施の形態では、バリア遮光部２２と透過部２４とを合わせた幅（図１に示す距離ｃ）を１３０μｍとしている。すなわち、透過部２４の幅が３６μｍである。【００７４】  また、運転席側および助手席側にそれぞれの画像を適切に表示するためには、バリア部２０と表示パネル１０との位置合わせ（アライメント）を正確に行う必要がある。このため、両者にアライメントマークを設け、このアライメントマークを用いて位置合わせを行うなどして正確な位置合わせを行うことが好ましい。【００７５】  上記バリア遮光部２２は、バリア遮光部２２の光の透過率をＴとした場合に、以下の式（２）
ｌｏｇ（１／Ｔ）≧４  ・・・（２）
の関係を満たしている。このｌｏｇ（１／Ｔ）とは、ＯＤ値を表す式であり、上記式（２）はバリア遮光部のＯＤ値が４以上であることを示している。【００７６】  ここで、ＯＤとはＯｐｔｉｃａｌ  Ｄｅｎｓｉｔｙの略である。また、ＯＤ値とは光の透過率を示す値である。このＯＤ値が大きい物質ほど、光の透過率は低く遮光性は高くなる。すなわち、本発明のバリア遮光部２２は、ＯＤ値が４以上であるため、光の遮光力が高く表示方向以外の方向に光が漏れてしまうことを十分に抑制することができる。【００７７】  上記ＯＤ値は、例えば、カラーフィルタ分光特性検査装置（大塚電子製）を用いて測定することができる。この検査装置では、バリア遮光部２２に対してスポット測定を行うことが可能になっている。ＯＤ値の測定に用いられる装置としては、上記検査装置以外の装置であっても、上記検査装置と同等の方法でＯＤ値を測定できるものであれば用いることができる。【００７８】  なお、上記バリア遮光部２２は、黒色顔料を分散させた感光性樹脂を用いて形成されている。ただし、バリア遮光部２２の材料はこれに限定されるものではなく、上記ＯＤ値が４以上となる透過率を有する遮光材料であればよい。【００７９】  上記バリア遮光部２２を設けることによって、表示方向以外の方向への画像光の漏れを抑制できるので、本発明の表示装置１ではクロストークを低減することが可能になる。具体的には、本発明の表示装置１は、観察者Ａ側に全面白表示（全白画像を表示）、観察者Ｂ側に全面黒表示（全黒画像を表示）した場合における観察者Ｂ側の主観察方向の輝度をＬｄとし、観察者Ａ側および観察者Ｂ側の双方に全面黒表示した場合における観察者Ｂ側の主観察方向の輝度をＬｂとした場合に、下記式（１）
（Ｌｄ−Ｌｂ）／Ｌｂ≦２．５  ・・・（１）
の関係を満たすこととなる。この（Ｌｄ−Ｌｂ）／Ｌｂはクロストーク成分比とも称され、上記式（１）は、本発明の表示装置のクロストーク成分比が２．５以下であることを示している。【００８０】  上記クロストーク成分比について図５に基づいて説明する。図５は、各角度から画像を観察した場合における輝度を示すグラフである。図５に示す（１）は、観察者Ａ側に全面白表示（全白画像を表示）、観察者Ｂ側に全面黒表示（全黒画像を表示）した場合における全方向の輝度を表している。また、図５に示す（２）は、観察者Ａ側および観察者Ｂ側の双方に全面黒表示した場合における全方向の輝度を表している。また、図５は、観察者Ａが表示装置正面に対して＋３０°の角度から観察し、観察者Ｂが表示装置正面に対して−３０°の角度から観察する場合を示している。すなわち、観察者Ｂ側の主観察方向（−３０°）では、（１）の場合の輝度がＬｄであり、（２）の場合の輝度がＬｂである。従って、クロストーク成分比は、ある観察地点における、表示すべき画像の輝度と、表示すべきでない画像の輝度との関係を表すものである。なお、主観察方向とは、全白画像の表示時に各角度にて輝度を測定した場合における輝度ピークが得られる方向（角度）を指す。図５においては、観察者Ａに表示する画像の主観察方向が＋３０°であって、観察者Ｂに表示する画像の主観察方向が−３０°となっている。【００８１】  上記輝度は、例えば、ＥＺ−ＣＯＮＴＲＡＳＴ計（ＥＬＤＩＭ製）を用いて測定することができる。この装置を用いれば、図６は、上記測定装置を用いて輝度を測定する方法の概略構成を示す断面図である。図６に示すように、上記の測定装置６０を表示装置１の表示パネル１０中央部に配置して測定することで、表示パネル１０の全方位の輝度を測定することができる。その中で、上記（１）の場合および（２）の場合といった異なる状況における主観察方向の輝度の算出値を用いることによってクロストーク成分比を求めることが可能になる。なお、輝度の測定に用いられる装置としては、上記測定装置以外の装置であっても、上記測定装置と同等の方法で輝度を測定できるものであれば用いることができる。【００８２】  ここで、上記クロストーク成分比とＯＤ値との関係を表１および図７に基づいて説明する。表１は、バリア遮光部２２のＯＤ値を変化させていった場合におけるクロストーク成分比の値を示す表である。また、図７は、この表１をグラフに表したものである。【００８３】
【表１】
2007007483.tif 000002
表１および図７に示すように、バリア遮光部２２のＯＤ値が１の場合には、クロストーク成分比が１０．３となる。また、バリア遮光部２２のＯＤ値が２の場合には、クロストーク成分比が７．６となり、ＯＤ値が３の場合には、クロストーク成分比が４．３となる。【００８４】  一方、バリア遮光部２２のＯＤ値が４の場合には、クロストーク成分比が２．２となり、ＯＤ値が５の場合には、クロストーク成分比が２．３となり、ＯＤ値が６の場合には、クロストーク成分比が２．１となる。【００８５】  最もクロストークが目立つ画像を表示した場合（例えば、片側（運転席側）に黒表示、もう片側（助手席側）にＤＶＤ等の画像を表示した場合）であっても、クロストーク成分比が２．５以下であれば目視にてクロストークが確認できなくなる。すなわち、バリア遮光部２２のＯＤ値が４以上である場合には、クロストークを確認できない程度に低減することが可能になる。【００８６】  なお、バックライトから出射された光の一部が、バリア遮光部２２にて反射される場合がある。この反射光は、ＣＦ基板１２等にてさらに反射した後に、表示装置１の外部に出射する場合がある（多重反射）。この場合、本来遮光すべき光が表示装置１外部に出射されることとなり、クロストークの原因となってしまう。【００８７】  また、表示装置１には、外部の光が入射する場合がある。ところが、この外部光は、バリア遮光部２２にて反射され、表示装置１の外部に出射される場合がある（外光反射）。この場合、表示装置１の画面に「てかり」が生じてしまい（画面がテカテカしてしまう）、表示品位が著しく低下してしまう。【００８８】  従って、本発明のバリア遮光部２２は、その表面の光反射率が２０％以下であることが好ましい。バリア遮光部２２の表面の光反射率が２０％以下である場合とは、バリア遮光部２２に照射された光の強度Ｓと、バリア遮光部２２にて反射された光の強度Ｓ’とが、式（３）
Ｓ’／Ｓ≦０．２  ・・・（３）
の関係を満たす場合である。【００８９】  これは、バリア遮光部２２として、ＯＤ値が４以上であると共に光反射率が２０％以下である材料を用いてもよく、ＯＤ値が４以上である材料で形成したバリア遮光部２２に表面処理を施して光反射率が２０％以下となるようにしてもよい。【００９０】  また、上記バリア遮光部２２は、ＯＤ値が４以上の材料を用いて形成されているが、本発明はこれに限定されるものではない。ＯＤ値が４未満の材料からなるバリア遮光層を２層以上積層した構成とし、全てのバリア遮光層（バリア遮光部）のＯＤ値が４以上となればよい。この構成を用いることで、既存のカラーフィルタ用遮光膜（ＯＤ値２前後）が使用でき、さらに、既存のカラーフィルタ製造技術・装置により製造することが可能となる。【００９１】  図８は、バリア遮光部２２が２層のバリア遮光層からなる表示装置１の概略構成を示す断面図である。図８に示すように、例えば、ＯＤ値が２の材料からなる材料を用いて、バリア遮光層を２層積層したものをバリア遮光部としてもよい。この場合、バリア遮光部全体としてＯＤ値を４以上とすることが可能となり、ＯＤ値が４以上の材料を用いた場合と同様の効果を得ることができる。【００９２】  また、例えば、バリア遮光部として、バリア遮光層を２層積層した構成とする場合には、各層の幅を異ならせて設けてもよい。具体的には、バリアガラス２１上に形成する１層目のバリア遮光層の幅よりも、この１層目のバリア遮光層上に形成する２層目のバリア遮光層の幅を小さくしてもよい。この構成とすることにより、バリア部２０と表示パネル１０とを貼り合わせる際のアライメントずれを防止することが可能になる。【００９３】  また、バリア遮光部として、バリア遮光層を３層以上積層した構成とする場合には、積層する毎に（上層のバリア遮光層となるほど）幅を小さくした構成としてもよく、最上層のバリア遮光層の幅を他のバリア遮光層の幅よりも小さくした構成としてもよい。【００９４】  なお、上記バリアガラス２１およびＣＦ基板１２として、各熱膨張係数が略一致する材質を用いていることが好ましい。熱膨張係数が略一致している場合には、温度変化による伸縮を略同じにすることができる。このような材質として、例えば、無アルカリガラスを用いることが好ましい。無アルカリガラスを用いた場合には、製造過程においてガラス内に気泡が混入することをも防止することができる。【００９５】  さらに、バリア部２０と表示パネル１０とを接着する接着層２３に用いられる接着剤の屈折率が、バリアガラス２１の屈折率およびＣＦ基板１２の屈折率と略一致していることが好ましい。これら三者の屈折率を略一致させることにより、光が意図しない方向へ屈折してしまうことを回避できる。【００９６】  なお、上記表示装置１は以下に示す方法を用いて製造することができる。ただし、以下に記載していない工程については、従来の製造方法を用いて製造することが可能である。【００９７】  まず、表示パネル１０およびバリア部２０を予め製造する。バリア部２０は、以下の手順で製造される。ガラス基板等を用いたＣＦ基板１２の一方の面にバリア遮光部２２を作成する。バリア遮光部２２は、ＣＦ基板１２の面上に遮光性材料（樹脂等）を所定の厚さに成膜し、これをパターニングすることで作成される。【００９８】  なお、上記表示装置１は、ＤＶ表示を行う装置であるため、上記ＣＦ基板１２をより薄く形成することが好ましい。本発明では、ケミカルエッチング、機械研磨または機械研削によってＣＦ基板１２をより薄型化している。【００９９】  上記バリア部２０を形成した後には、表示パネル１０とバリア部２０とを接着させる。これは、図９に示すように、ＣＦ基板１２およびバリアガラス２１のいずれか一方の基板上に接着用の紫外線硬化樹脂を全面に印刷し、真空減圧状態下にて各基板を貼り合わせることにより実現できる。【０１００】  なお、これら表示パネル１０およびバリア部２０は、各々を貼り合わせる際に、各々の基板に形成されているアライメントマーカーに基づいて位置決めした状態で貼り合わせることが好ましい。【０１０１】  その後、接着用の紫外線硬化樹脂に対して、紫外線を照射することによって、樹脂を硬化させる。これにより、表示１０パネルとバリア部２０とが接着層２３によって貼付・接着される。【０１０２】  上記構成を有する表示装置とすることで、複数の視点に対して、クロストークを生じることなく異なる複数の画像を表示することが可能になる。すなわち、見る角度によって異なる画像を観察することが可能な表示装置においても、クロストークの発生しない良好な画像を表示することが可能になる。【０１０３】  特に、本発明のように、ＤＶ表示を行う表示装置においては、３Ｄ表示を行う表示装置と比較して、ＣＦ基板やバリアガラスに用いるガラス基板が薄くなっており、クロストークが発生しやすい構成となっている。また、３Ｄ表示は、ほぼ同じ２つの画像を同一観察人が観察するものであるのに対して、ＤＶ表示は、異なる画像を異なる観察人が観察することから、３Ｄ表示用の表示装置では問題ないレベルのクロストークであっても、ＤＶ表示用の表示装置では問題になってしまう。しかしながら、本発明の構成とすることにより、ＤＶ表示を行う場合であっても問題のないレベルのクロストークを実現することができる。【０１０４】  また、ＤＶ表示用の表示装置では、上述のように、異なる視点に対して、異なる画像を表示するものであるが、異なる視点（見る角度が異なる観察人）に対して同じ画像を表示してもよい。これは、例えば、運転席側と助手席側とに対して、同じ画像を表示することにより実現できる。【０１０５】  〔実施の形態２〕
本発明の実施形態２について図１０に基づいて説明する。なお、説明の便宜上、実施の形態１に記載した各部材と同様の機能を有する部材については、実施の形態１と同じ符号を用い、その説明を省略する。また、本実施の形態は、上記実施の形態１と比較してバリア部が異なるのみで他の構成は実施の形態１と同様である。このため、本実施の形態では、バリア部の構成を主として説明する。【０１０６】  図１０は、本実施の形態に係る表示装置２の概略構成を示す断面図である。図１０に示すように、表示装置２は、表示パネル１０、バリア部２５、偏光板３１・３２を備えている。また、表示装置２は、バックライト（図示せず）を備えており、バックライトから出射された光を表示パネル１０に対して照射するようになっている。【０１０７】  バリア部２５は、バリアガラス２１とバリア遮光部２６とを有しており、バリア遮光部２６がバリアガラス２１上に形成されている。バリアガラス２１は、バリア遮光部２６が形成された面をＣＦ基板１２側に対向させた状態で、接着層２３を介してＣＦ基板１２と接着されている。また、バリアガラス２１には、実施の形態１と同様に、熱膨張係数がＣＦ基板１２と略一致した材質や、屈折率がＣＦ基板１２および接着層２３と略一致した材質を用いることが好ましい。このような材質としては、無アルカリガラスを挙げることができる。【０１０８】  バリア遮光部２６は、実施の形態１と同様に、バリアガラス２１上に、画素列Ｒ，Ｌの延在方向に対して平行な方向にストライプ状の列をなすように配置されている。また、バリア遮光部２６の各列は、表示パネル１０の各画素列に対応するように設けられている。つまり、バリア遮光部２６の各列は、表示パネル１０の各画素列から出射される光の一部を遮光し、各画素列の表示方向以外の方向からは観察されないような位置に設けられている。【０１０９】  したがって、運転席側用の画素列Ｒについて運転席側からは観察できるものの助手席側からは観察できず、かつ、助手席側用の画素列Ｌについて助手席側からは観察できるものの運転席側からは観察されないようになっている。これにより、表示装置１では、運転席側と助手席側とに異なる画像を表示することが可能になっている。【０１１０】  上記バリア遮光部２６は、遮光層２７と、第１光吸収層２８と、第２光吸収層２９とを有しており、遮光層２７のＣＦ基板１２側の面上に第１光吸収層２８が設けられ、遮光層２７のバリアガラス２１側の面上に第２光吸収層２９が設けられている。すなわち、遮光層２７が第１光吸収層２８と第２光吸収層２９とに挟持された構成となっている。【０１１１】  この遮光層２７は、バックライトから出射された光を遮光するためのものであり、金属からなる層である。また、第１光吸収層２８は、バックライトから出射された光が遮光層２７で反射することを防止するための層であり、第２光吸収層２９は、表示装置１の外部から入射した光が遮光層２７で反射することを防止するための層である。【０１１２】  すなわち、例えば、第１光吸収層２８および第２光吸収層２９を設けない構成とした場合には、遮光層２７は金属からなっているため、バックライトから出射された光の一部を遮光すると共に、光の一部���反射してしまう。この場合、本来遮光すべき光が表示装置１外部に出射されることとなり、クロストークの原因となってしまう。また、外部光が遮光層２７にて反射されることとなり、この場合には、表示装置１の画面に「てかり」が生じてしまい、表示品位が著しく低下してしまう。従って、これらを防止するために、本実施の形態に係るバリア遮光部２６では、第１光吸収層２８および第２光吸収層２９を設けている。すなわち、本発明に係る第１光吸収層２８や第２光吸収層２９は、光を吸収するものに限定されることはなく、光の反射を防止する機能を有するものであればよい。【０１１３】  上記第１光吸収層２８および第２光吸収層２９は、その表面の光反射率が２０％以下であることが好ましい。表面の光反射率が２０％以下である場合とは、第１光吸収層２８および第２光吸収層２９に照射された光の強度Ｓと、第１光吸収層２８および第２光吸収層２９にて反射された光の強度Ｓ’とが、式（３）
Ｓ’／Ｓ≦０．２  ・・・（３）
の関係を満たす場合である。これにより、バリア遮光部での不要な光反射を防止することができる。【０１１４】  また、上記遮光層２７、第１光吸収層２８および第２光吸収層２９は、これら各層から構成されるバリア遮光部２６のＯＤ値が４以上となるような材質を用いて形成すればよい。例えば、遮光層２７に用いられる金属のＯＤ値が４以上であってもよく、遮光層２７と第１光吸収層２８と第２光吸収層２９とを合わせたＯＤ値が４以上であってもよい。第１光吸収層２８や第２光吸収層２９には、例えば、樹脂を用いることができる。【０１１５】  また、上記バリア遮光部２６を設けることによって、表示方向以外の方向への画像光の漏れを抑制でき、クロストーク成分比を２．５以下にすることができる。なお、ＯＤ値および輝度は、上記実施の形態１と同様の方法で測定することができる。【０１１６】  また、本実施の形態では、遮光層２７上に第１光吸収層２８および第２光吸収層２９を設ける構成としたが、これに限定されるものではなく、遮光層２７に表面処理を施して光反射率が２０％以下となるようにしてもよい。【０１１７】  なお、本実施の形態においても、運転席側および助手席側にそれぞれの画像を適切に表示するために、バリア部２０と表示パネル１０との両者にアライメントマークを設け、このアライメントマークを用いて位置合わせを行うなどして正確な位置合わせを行うことが好ましい。【０１１８】  本実施の形態に係る表示装置においても上記実施の形態１と同様にして製造することができる。ただし、バリア部２６については以下の手順で製造される。ガラス基板等を用いたＣＦ基板１２の一方の面にバリア遮光部２６を作成する。【０１１９】  バリア遮光部２６は、まず、ＣＦ基板１２の面上に、樹脂等の光吸収用（光反射防止用）の材料を所定の厚さに成膜し、これをパターニングすることで第２光吸収層２９が作成される。次いで、第２光吸収層２９上に、金属を積層させることにより遮光層２７を形成する。この遮光層２７の形成は、金属を蒸着させることによって行うことができる。さらに、遮光層２７上に、樹脂等の光吸収用（光反射防止用）の材料を所定の厚さに成膜し、これをパターニングすることで第１光吸収層２７が作成される。【０１２０】  これにより、バリア部２６が作成される。そして、上記バリア部２０が作成されると、表示パネル１０とバリア部２６とを紫外線硬化樹脂にて接着することによって表示１０パネルとバリア部２０とを接着する。【０１２１】  なお、上記ＣＦ基板１２はより薄く形成されていることが好ましい。また、これら表示パネル１０およびバリア部２０は、各々を貼り合わせる際に、各々の基板に形成されているアライメントマーカーに基づいて位置決めした状態で貼り合わせることが好ましい。【０１２２】  なお、本発明は上述した各実施の形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１２３】  本発明の表示装置は、複数の視点に対して異なる複数の画像を表示することが可能な表示装置であって、クロストークの発生を防止することができるものである。このため、自動車用ナビゲーションシステム用ディスプレイ等の各種ディスプレイに広く適用することができる。従って、本発明は、家電産業、自動車産業、機械産業等のディスプレイを必要とする広範な産業分野に好適に用いることができる。
【図１】
2007007483.tif 000003
【図２】
2007007483.tif 000004
【図３】
2007007483.tif 000005
【図４】
2007007483.tif 000006
【図５】
2007007483.tif 000007
【図６】
2007007483.tif 000008
【図７】
2007007483.tif 000009
【図８】
2007007483.tif 000010
【図９】
2007007483.tif 000011
【図１０】
2007007483.tif 000012
【図１１】
2007007483.tif 000013
【国際調査報告】
2007007483.tif 000014
2007007483.tif 000015
2007007483.tif 000016
2007007483.tif 000017
2007007483.tif 000018